(57)【特許請求の範囲】
【請求項１】
方形台板１に開設された複数の抜き孔11・11・・・・中の適宜な抜き孔11ａが選択されて、これら抜き孔11ａの裏面側にレベル調節可能なアジャストボルト機構のフロアポスト２・２・・・・を装着することによって複数の台板１・１・・・・がスラブＳ上に同一レベルに置敷されており、かつ、前記各方形台板１の表面における少なくとも一辺には縁段板３が固定されて台板１との間に一定の段差が形成されて成るフロアベースＢと；このフロアベースＢにおける前記台板１・１・・・・の表面との間に空隙が形成されるごとく縁段板３・３・・・・上に敷設された床仕上材４・４・・・・によって構成されるフロアフェイスＦとを包含することを特徴とした置敷式サイレンスフロア。
【請求項２】
方形台板１の表面の一辺には縁段板３、もう一辺には段縁板３と等厚の小幅段板５が固定されて台板１との間に一定の段差が形成されて成るフロアベースＢを含む請求項１記載の置敷式サイレンスフロア。
【請求項３】
床仕上材４・４・・・・と縁段板３・３・・・・との間に捨張材６が介装されている請求項１または２記載の置敷式サイレンスフロア。
【請求項４】
フロアベースＢをスラブＳ上に構築するにあたり、当該スラブＳ上に存する設備・配管などの突出物に対して、其処に位置する方形台板１の多数の抜き孔11・11・・・・中から前記突出物に会合しない箇所にある抜き孔11ａ・11ａ・・・・を選択して、これら抜き孔11ａの裏面側にアジャストボルト機構のフロアポスト２・２・・・・を装着して置敷し、この際、レベルが一致しない台板１についてはフロアポスト２をレベル調節して各台板１の面揃えすることによりフロアベースＢを構築し、しかる後、各方形台板１の表面に固定された縁段板３・３・・・・の上に床仕上材４・４・・・・を敷設することにより前記各台板１の表面との間に空隙を有するフロアフェイスＦを形成することを特徴としたサイレンスフロア施工方法。
【請求項５】
フロアベースＢが構築された後、各方形台板１の表面に固定された縁段板３・３・・・・の上に捨張材６を介設し、こうして敷かれた捨張材６の上に床仕上材４・４・・・・を敷設する請求項４記載のサイレンスフロア施工方法。
【請求項６】
抜き孔11・11・・・・が一定の規則的なピッチ間隔で開設されている方形台板１を用いてフロアベースＢを構築する請求項４または５記載のサイレンスフロア施工方法。
【請求項７】
複数の抜き孔11・11・…が所要間隔をもって貫通形成された四辺形板体であって、その表面における四辺中の少なくとも一辺には細長い矩形の縁段板３が固定されて当該板体表面との間に一定の段差を形成して成る方形台板１と；この方形台板１の抜き孔11の裏面側に嵌着される鍔付ナット21と、このナット21の雌ネジ21ａに捻じ込み・捻じ戻し自在に挿入されるボルトロッド22とから成り、前記方形台板１における何れかの抜き孔11・11・・・・に選択的に装着されるアジャストボルト機構のフロアポスト２とを含むベースユニットにおいて、
スラブＳ上にレベル調節して置敷きされたフロアポスト２を含む方形台板１・…の上に、前記縁段板３が介在した状態で捨張材６を敷設して台板１の表面と当該捨張材６との間にフェイス間空隙Ｇ1を形成可能に構成したことを特徴とする置敷式サイレンスフロアのベースユニット。
【発明の詳細な説明】
【０００１】
【発明の属する技術分野】
本発明は、置敷式フロア分野の改良技術に関し、さらに詳しくは、配管や設備等の突起物あるいは不陸があるスラブ上であっても、レベル不調がなくて構造的にも安定した状態に構築できる空気二重層構造の置敷式サイレンスフロア、そのようなサイレンスフロアを効率的に施工することができる方法、およびそのようなサイレンスフロアを構築するに適したベースユニットに関するものである。
【０００２】
【従来の技術】
外界が喧騒な現代社会においては、休息・憩いの場となる生活空間や、商談・知能労働などの場となる応接室や事務室には落ち着きのある静粛な雰囲気が求められる。特に、多数の異世帯が居住するアパートやマンション、あるいは多数の事業所が共同使用する集合ビルなどでは、上階・隣室の足音や振動音が伝播することさえも忌避されるのであって、高性能の防音防振床を構築することが最近の建築物における重要な課題になって来ている。
【０００３】
また、生活空間やオフィス空間にあっては、床暖房やＯＡ機器が普及してきた最近の事情から、スラブとフローリングとの間に僅かな空間を形成して、其処に空調用の配管あるいはその他各種の配管、電力・電話回線やＯＡ機器の信号回線などを配設するというフロア構造が採用されることが多い。ちなみに、フロアの任意の箇所から電力線・信号線などを自由に取り出せるようにＯＡ化に対応した事務室等のフロアは、フリーアクセス・フロア(free access floor) と呼ばれて最近のオフィスに一般化しているが、このようなフリーアクセス・フロアを構築する場合において隘路となっていたのが、スラブ上に設置される空調関連設備や配管である。従来のフリーアクセス・フロアは、フロアポストを裏面に装着した台構造体をスラブ上に並べて構築する所謂「置敷式」のものが一般的であるが、このような置敷式フロアにあってはスラブ上に設置されている設備や配管と前記台構造体に装着されたフロアポストとが位置的に干渉したりすると、其処だけに特別の台を手作りしなければならず、作業能率や出来映えを損ってしまうからである。このような問題は、一般住宅・マンション・アパート等にあっても置敷式フロアを採用する限り同じである。
【０００４】
【発明が解決しようとする課題】
本発明は、快適な空調空間の実現と静粛な生活空間ないしは労働空間の実現とを同時に満足させんとして為されたものであり、配管や設備等の突起物あるいは不陸があるスラブ上であっても、レベル不調がなくて構造的にも安定した状態に構築可能な置敷式サイレンスフロアを提供することを技術的課題とする。
【０００５】
また、本発明の他の技術的課題は、台板を設置しようとした箇所に配管や設備等の突起物があってフロアポストの位置と干渉するような場合には、そのフロアポストの位置を変更して台板の他の適切な部位へ簡単に差替え移動させてレベル合せも迅速に行って安定した構造のサイレンスフロアを構築してゆくことができる新施工方法、ならびにその施工に適したベースユニットを提供するにある。
【０００６】
さらに、本発明の他の技術的課題は、スラブと台板との間および台板表面と床仕上材との間に適当な空間を有する空気二重層構造の置敷式サイレンスフロア、その合理的施工方法、およびそれに適したベースユニットを提供するにある。
【０００７】
【課題を解決するために採用した手段】
しかして、本発明者が上記課題を解決するために採用した手段を、添附図面に示す実施形態を参照して説明すれば、次のとおりである。
【０００８】
即ち、本発明は、方形台板１に開設された複数の抜き孔11・11・・・・中の適宜な抜き孔11ａが選択されて、これら抜き孔11ａの裏面側にレベル調節可能なアジャストボルト機構のフロアポスト２・２・・・・を装着することによって複数の台板１・１・・・・がスラブＳ上に同一レベルに置敷されており、かつ、前記各方形台板１の表面における少なくとも一辺には縁段板３が固定されて台板１との間に一定の段差が形成されて成るフロアベースＢと；このフロアベースＢにおける前記台板１・１・・・・の表面との間に空隙が形成されるごとく縁段板３・３・・・・上に敷設された床仕上材４・４・・・・によって構成されるフロアフェイスＦとを包含するという構造的手段を採用することによって、前述の技術的課題を解決した点に特徴がある。
【０００９】
また、本発明は、フロアベースＢをスラブＳ上に構築するにあたり、当該スラブＳ上に存する設備・配管などの突出物に対して、其処に位置する方形台板１の多数の抜き孔11・11・・・・中から前記突出物に会合しない箇所にある抜き孔11ａ・11ａ・・・・を選択して、これら抜き孔11ａの裏面側にアジャストボルト機構のフロアポスト２・２・・・・を装着して置敷し、この際、レベルが一致しない台板１についてはフロアポスト２をレベル調節して各台板１の面揃えすることによりフロアベースＢを構築し、しかる後、各方形台板１の表面に固定された縁段板３・３・・・・の上に床仕上材４・４・・・・を敷設することにより前記各台板１の表面との間に空隙を有するフロアフェイスＦを形成するという方法的手段を採用することによって、前述の技術的課題を解決した点に特徴がある。
【００１０】
さらに、本発明は、複数の抜き孔11・11・…が所要間隔をもって貫通形成された四辺形板体であって、その表面における四辺中の少なくとも一辺には縁段板３が固定されて当該板体表面との間に一定の段差を形成して成る方形台板１と；この方形台板１の抜き孔11の裏面側に嵌着される鍔付ナット21と、このナット21の雌ネジ21ａに捻じ込み・捻じ戻し自在に挿入されるボルトロッド22とから成り、前記方形台板１における何れかの抜き孔11・11・・・・に選択的に装着されるアジャストボルト機構のフロアポスト２とを含むベースユニットを技術的前提として、
スラブＳ上にレベル調節して置敷きされたフロアポスト２を含む方形台板１・…の上に、前記縁段板３が介在した状態で捨張材６を敷設して台板１の表面と当該捨張材６との間にフェイス間空隙Ｇ1を形成可能に構成するという手段を採用したことによって、前述の課題を解決した点に特徴がある。
【００１１】
【発明の実施の形態】
以下、本発明を添附図面に示す実施形態に基いて更に詳しく説明する。なお、図１は本発明の第１実施形態品を構成するフロアベースとフロアフェイスを分解して示した斜視説明図、図２は第１実施形態品に用いるフロアポストの断面図、図３は第１実施形態品の断面説明図、図４は本発明の第２実施形態品の一部を示した斜視説明図、図５は第２実施形態品の内部の方形台板上に形成された空隙に電話線等を配線した状態を示した部分斜視説明図、図６は本発明の第３実施形態品の断面説明図、図７は第３実施形態品の床仕上材の吹出し口に通気キャップを取り付ける状態を示した分解斜視図、図８は本実施形態品の構成単位であるベースユニットを突出物や不陸があるスラブ上に置敷する状態の施工説明図、図９は本実施形態品を構成するフロアベース上に捨張材および床仕上材を敷設する状態の施工説明図、図10〜図15は本実施形態品に用いる各種タイプの方形台板の平面図、図16は図10〜図15の方形台板を用いて置敷する状態の平面説明図である。
【００１２】
〔第１実施形態品〕
まず、本発明の第１実施形態品である置敷式サイレンスフロアを図１〜図３に基いて説明する。図１中、符号Ｂで指示するものは、スラブＳ上に同一レベルに置敷されるフロアベースである。このフロアベースＢは、複数の抜き孔11・11・・・・が開設された方形台板１と、この方形台板１に開設された何れかの抜き孔11・11・・・・に選択的に装着されるアジャストボルト機構のフロアポスト２とから構成されている。
【００１３】
そして、前記方形台板１は、矩形の板体から成り、この板体に複数の抜き孔11・11・・・・が一定の規則的なピッチ間隔で貫通形成されている。これら何れかの抜き孔11・11・・・・中の抜き孔11ａの裏面側に装着されるべきフロアポスト２は、図２に示すように、選択された抜き孔11ａの裏面側に嵌着される鍔付ナット21と、このナット21の雌ネジ21ａに捻じ込み・捻じ戻し自在に挿入されるボルトロッド22とから成り、このボルトロッド22の上部周面には前記雌ネジ21ａに螺合可能な雄ネジ22ａが刻設されている。また、前記鍔付ナット21の上部内周にはレンチリブ21ｂが突設されており、このレンチリブ21ｂに上方からレンチＷ等を差し込んで回転操作することにより、レベル調節可能となっている。そして、前記方形台板１の表面の四辺のうち縦横の二辺には、図１に示すように、細長い矩形の縁段板３・３が各々固定されており、これら各縁段板３によって前記台板１との間に一定の段差が形成されている。
【００１４】
図１中、符号Ｆで指示するものは、前記方形台板１・１・・・・の表面に固定された縁段板３・３・・・・上に築成されたフロアフェイスである。本実施形態においては、このフロアフェイスＦは、床仕上材４・４・・・・と、これら床仕上材４・４・・・・と縁段板３・３・・・・との間に介装された捨張材６とから構成されている。こうして築成されたフロアフェイスＦにあっては、前記各縁段板３の段差によって各台板１の表面と前記床仕上材４・４・・・・下面の捨張材６との間に空隙が形成されるので、この空隙によってフロア面の振動や衝撃等が第１次的に吸収遮断されてサイレンス効果が得られることになる。なお、本実施形態においては、捨張材６を使用しているが、捨張材６を介装させずに床仕上材４を縁段板３上に直接敷設してもよい。
【００１５】
上記の如く構成されたフロアベースＢおよびフロアフェイスＦにより、レベル調節可能なアジャストボルト機構のフロアポスト２・２・・・・を方形台板１・１・・・・の所望の抜き孔11・11・・・・に自在に選択的に装着してスラブＳ上に置敷することができるので、配管や設備等の突起物あるいは不陸があるスラブＳ上であっても、其処を避けてレベル不調がなくて安定した構造の置敷式フロアを得ることができる。しかも、図３に示すように、前記各台板１の表面と床仕上材４・４・・・・下面の捨張材６との間にフェイス間空隙Ｇ1 が形成され、かつ、各台板１の下面とスラブＳ面との間にスラブ間空隙Ｇ2 が形成され第２次的に音響遮断が為されるので、これらの空隙Ｇ1 ・Ｇ2 によってフロア面の振動や衝撃等が吸収遮断されて優れたサイレンス効果を有する空気二重層構造の置敷式フロアが得られるうえに、方形台板１・１・・・・に貫通形成された複数の抜き孔11・11・・・・がフェイス間空隙Ｇ1 の振動等を下方のスラブ間空隙Ｇ2 へ放出させる副次的な機能も併有しているので、サイレンス効果は一層高まる。
【００１６】
〔第２実施形態品〕
つぎに、本発明の第２実施形態品である置敷式サイレンスフロアを図４および図５に基いて説明する。第２実施形態品は、方形台板１の表面に縁段板３以外に小幅段板５を固定した点が第１実施形態品と異なる。図４に示すように、方形台板１の表面の一辺には、細長い段縁板３と等厚の略正方形の小幅段板５・５・５が３枚固定されている。これらの小幅段板５・５・５と１枚の細長い段縁板３上に捨張材６および床仕上材４が敷設される。このように種々の形状の小幅段板５や段縁板３を方形台板１の表面に適宜固定することにより、台板１との間に一定の段差を形成して各台板１の表面と敷設された捨張材６下面との間に空隙を形成することができる。
【００１７】
こうして形成された第２実施形態のサイレンスフロアにあっては、捨張材６と各台板１の表面との間の空隙が小幅段板５と５との間で連通しているので、図５に示すように、小幅段板５と５との間を利用して、電話線、信号線、電力線などを配線することができ、フリーアクセス床としての機能を有する。
【００１８】
〔第３実施形態品〕
また、本発明の第３実施形態品である置敷式サイレンスフロアを図６および図７に基いて説明する。第３実施形態品は、床暖房機構を設けた点が第１および第２実施形態品と異なる。図６に示すように、スラブＳと各方形台板１との間の空隙Ｇ2 に温風を送給するための温風ヒーターＨが所定位置に配設されている。そして、床仕上材４の所要箇所には吹出し口41・41・・・・が開設してあり、これら各吹出し口41の開設位置は、方形台板１の複数の抜き孔11・11・・・・のうち何れかの抜き孔11の略真上となっている。なお、各吹出し口41には、図７に示すように、複数のスリットを有する通気キャップ42が各々取り付けてある。
【００１９】
これにより、前記温風ヒーターＨでスラブ間空隙Ｇ2 に送給された温風が上昇して方形台板１の抜き孔11を通過し更にその真上の吹出し口41を通過して室内へ吹き出るので、当該温風によって室内を直接暖房することができる。これに加えて、スラブ間空隙Ｇ2 に送給され各抜き孔11を通過した温風の一部は各方形台板１と床仕上材４との間の空隙Ｇ1 に滞留しているので、この滞留暖気が床仕上材４を昇温させて輻射熱を発することになり、室内の床面を一様に暖房する床暖房としての機能を発揮する。このように方形台板１に開設された各抜き孔11を利用することによって、吹出し口41からの温風による直接暖房と滞留暖気による床暖房とが相乗効果を発揮して室内の暖房効率を大幅に増進させることができる。
【００２０】
最後に、上記の如き置敷式サイレンスフロアの施工方法を図８および図９に基いて説明する。
【００２１】
まず、配管や設備、不陸などの突出物ＰがあるスラブＳ上に置敷すべき方形台板１を用意する。この方形台板１は、複数の抜き孔11・11・・・・が所要間隔をもって貫通形成された矩形板体であって、その表面の二辺には縁段板３・３が各々固定されている。つぎに、用意した方形台板１を置敷する位置のスラブＳ上に存する突出物Ｐに対して、当該方形台板１の多数の抜き孔11・11・・・・中から前記突出物Ｐに会合しない箇所にある抜き孔11ａ・11ａ・・・・を選択する。そして、これら抜き孔11ａ・11ａ・・・・の裏面側にアジャストボルト機構のフロアポスト２・２・・・・を各々装着すると、図８に示す如き状態のベースユニットＵが得られる。
【００２２】
このようにスラブＳ上の突出物Ｐと位置的に干渉しないようフロアポスト２・２・・・・を方形台板１に装着して得られたベースユニットＵを、スラブＳ上に所要数だけ定置する。この際、レベルが一致しない方形台板１については、該当するフロアポスト２上端のレンチリブ21ｂに当該位置の抜き孔11ａの上側からレンチＷ等を差し込んで正逆回転操作することにより、レベル調節を行うことができ、その結果各方形台板１の面揃えが可能となる。このようなレベル調節を行いつゝ複数のベースユニットＵ・Ｕ・・・・を順次置敷していくと、図９に示す如きフロアベースＢが構築される。その後、構築されたフロアベースＢの各方形台板１の表面に固定された縁段板３・３・・・・の上に捨張材６を介設し、この捨張材６の上に床仕上材４を敷設すると、置敷式サイレンスフロアが得られる。
【００２３】
上記の如き施工方法を採用したことにより、方形台板１を設置しようとしたスラブＳ上に配管や設備等の突出物Ｐがあってフロアポスト２の位置と干渉するような場合には、そのフロアポスト２の位置を変更して方形台板１の他の適切な抜き孔11・11・・・・へ簡単に差替え移動させてレベル合せも迅速に行うことができ、よって、安定した構造の置敷式サイレンスフロアを簡単かつ迅速に構築してゆくことが可能となる。
【００２４】
また、本実施形態サイレンスフロアを構築する際に使用する方形台板１としては、図10〜図15に示すように、縁段板３が台板の表面の一辺にのみに固定されたものや、隣接する他の台板に重なり合うよう縁段板３が台板の端部から若干はみ出た状態に固定されたもの等の各種タイプの方形台板１Ａ〜１Ｆがある。
【００２５】
上記の如き６種類の方形台板１Ａ〜１Ｆを割り付けて敷き詰める施工例を図16に基いて説明する。まず、フロア施工区域の隅部の一つに方形台板１Ａを配置する。つぎに、この方形台板１Ａの右隣に方形台板１Ｂを配置し、方形台板１Ａの下隣に方形台板１Ｃを配置する。次いで、この方形台板１Ｃの右隣に方形台板１Ｄを配置し、方形台板１Ｃの下隣に方形台板１Ｅを配置する。そして、この方形台板１Ｅの右隣に方形台板１Ｆを配置すると、図16に示す如き状態となる。このように各種タイプの台板１Ａ〜１Ｆを順次割り付けて組み合わせることにより、各台板同士あるいはフロアの隅部を隙間なく敷き詰めることができる。
【００２６】
本発明の実施形態は概ね上記のとおりであるが、本発明の及ぶ技術的範囲は前述の実施形態に限定されるものでは決してなく、「特許請求の範囲」の記載内において種々の設計変更が可能であることは言うまでもない。
【００２７】
例えば、本実施形態の方形台板１においては、多数の抜き孔11・11・・・・が一定の規則的な間隔で開設されているけれども、設置すべきスラブＳ面の状態に応じて抜き孔11・11・・・・の間隔を不規則にしたり、抜き孔11の個数を増減したり、あるいは装着するフロアポスト２に合わせて抜き孔11のサイズや形状を変えることも可能である。
【００２８】
また、本実施形態のフロアポスト２においては、方形台板１の抜き孔11の上側からレベル調節可能なタイプのものを使用しているけれども、アジャストボルト機構を有していれば何れのタイプでもよく、方形台板１の抜き孔11に挿通したボルトに２個のナットを方形台板１の上下から挟むように螺合させて締結するといった単純な構造のフロアポスト２を採用することも可能であり、本発明の技術的範囲に属することは言うまでもない。
【００２９】
【発明の効果】
以上、実施形態を例示して説明したとおり、本発明によれば、多数の抜き孔が開設された台板を用いて、レベル調節可能なアジャストボルト機構のフロアポストを前記台板の所望の抜き孔に自在に選択的に装着してスラブ上に置敷することができるので、配管や設備等の突出物あるいは不陸があるスラブ上であっても、其処を避けてレベル不調がなくて構造的にも安定した状態に置敷式フロアを構築可能である。しかも、前記台板の表面における少なくとも一辺には縁段板が固定されて台板との間に一定の段差が形成されているので、台板上に敷設された床仕上材と台板の表面との間に形成された空隙によってフロア面の振動や衝撃等が第１次的に吸収遮断され、かつ、その台板の下面とスラブ面との間に形成された空隙によって前記振動等が更に第２次的に遮断されるとともに、これら双方の空隙が相乗作用を齎らして非常に優れたサイレンス効果を有する空気二重層構造の置敷式サイレンスフロアが得られる。そのうえ、台板に貫通形成された多数の抜き孔が上方の空隙の振動等を下方の空隙へ放出させる副次的な機能も併有しているので、サイレンス効果は一層高まる。
【００３０】
また、本発明の施工方法によれば、台板を設置しようとした箇所に配管や設備等の突出物があってフロアポストの位置と干渉するような場合には、そのフロアポストの位置を変更して台板の他の適切な部位へ差替え移動させてレベル合せも行うことができるので、安定した構造のサイレンスフロアを簡単かつ迅速に構築することが可能となる。よって、上記の如く多数の効果を奏し、置敷式フロアにおける利用価値は頗る大である。
【図面の簡単な説明】
【図１】本発明の第１実施形態品を構成するフロアベースとフロアフェイスを分解して示した斜視説明図である。
【図２】第１実施形態品に用いるフロアポストの断面図である。
【図３】第１実施形態品の断面説明図である。
【図４】本発明の第２実施形態品の一部を示した斜視説明図である。
【図５】第２実施形態品の内部の方形台板上に形成された空隙に電話線等を配線した状態を示した部分斜視説明図である。
【図６】本発明の第３実施形態品の断面説明図である。
【図７】第３実施形態品の床仕上材の吹出し口に通気キャップを取り付ける状態を示した分解斜視図である。
【図８】本実施形態品の構成単位であるベースユニットを突出物や不陸があるスラブ上に置敷する状態の施工説明図である。
【図９】本実施形態品を構成するフロアベース上に捨張材および床仕上材を敷設する状態の施工説明図である。
【図１０】本実施形態品に用いる１タイプの方形台板の平面図である。
【図１１】本実施形態品に用いる１タイプの方形台板の平面図である。
【図１２】本実施形態品に用いる１タイプの方形台板の平面図である。
【図１３】本実施形態品に用いる１タイプの方形台板の平面図である。
【図１４】本実施形態品に用いる１タイプの方形台板の平面図である。
【図１５】本実施形態品に用いる１タイプの方形台板の平面図である。
【図１６】図10〜図15の方形台板を用いて置敷する状態の平面説明図である。
【符号の説明】
Ｂ      フロアベース
Ｆ      フロアフェイス
Ｇ1     フェイス間空隙
Ｇ2     スラブ間空隙
Ｈ      温風ヒーター
Ｐ      突出物
Ｓ      スラブ
Ｕ      ベースユニット
Ｗ      レンチ
１      方形台板
１Ａ・１Ｂ・１Ｃ・１Ｄ・１Ｅ・１Ｆ    （各種タイプの）方形台板
11    抜き孔
11ａ  （選択された）抜き孔
２      フロアポスト
21    鍔付ナット
21ａ  雌ネジ
21ｂ  レンチリブ
22    ボルトロッド
22ａ  雄ネジ
３      縁段板
４      床仕上材
41    吹出し口
42    通気キャップ
５      小幅段板
６      捨張材
【図１】
0003919297.tif 000002
【図２】
0003919297.tif 000003
【図３】
0003919297.tif 000004
【図４】
0003919297.tif 000005
【図５】
0003919297.tif 000006
【図６】
0003919297.tif 000007
【図７】
0003919297.tif 000008
【図８】
0003919297.tif 000009
【図９】
0003919297.tif 000010
【図１０】
0003919297.tif 000011
【図１１】
0003919297.tif 000012
【図１２】
0003919297.tif 000013
【図１３】
0003919297.tif 000014
【図１４】
0003919297.tif 000015
【図１５】
0003919297.tif 000016
【図１６】
0003919297.tif 000017